(57)【要約】【課題】  システムの規格に合わせて設定順に配列された設定項目と、選択された項目の設定内容が同時に表示され、全体操作を把握でき容易に設定が行える。【解決手段】  波形生成を行うため所望の通信システムを選択し、選択された通信システムの設定項目が設定順に設定手順表示エリア６ａに表示される。設定手順表示エリア６ａに表示された一つの設定項目を選択すると、この選択された設定項目に関連するパラメータが設定手順表示エリア６ａと同一画面上のパラメータ設定表示エリア６ｂに表示される。また、設定手順表示エリア６ａに表示された項目が現在選択中の項目や以前に設定済の項目である場合は、各項目の状態に応じてどの状態であるかが識別可能に表示される。【選択図】    図３
2006011733.tif 000002
【特許請求の範囲】
【請求項１】
波形を発生させるためのデータを生成する波形データ生成装置に用いるパラメータ設定装置（１）において、
所望の信号を生成するための設定手順が複数の項目からなり、該複数の項目を設定順に表示する設定手順表示エリア（６ａ）と、
該設定手順表示エリア（６ａ）に表示された各項目毎に対応して波形生成に必要なパラメータを表示するパラメータ設定表示エリア（６ｂ）とを同時に有することを特徴とするパラメータ設定装置。
【請求項２】
前記設定手順表示エリア（６ａ）は、前記複数の項目を階層的に表示することを特徴とする請求項１記載のパラメータ設定装置。
【請求項３】
前記階層的な表示は、表示された設定手順の項目に対し下位の階層があることを識別可能に表示することを特徴とする請求項２記載のパラメータ設定装置。
【請求項４】
前記階層的な表示は、表示された設定手順の項目の識別箇所を選択することで下位の階層を表示することを特徴とする請求項３記載のパラメータ設定装置。      
【請求項５】
前記設定手順表示エリア（６ａ）は、表示された前記複数の項目のうち前記パラメータ設定表示エリア（６ｂ）に表示中の項目の内容に対応した項目を識別可能なように表示することを特徴とする請求項１乃至請求項４の何れかに記載のパラメータ設定装置。
【請求項６】
前記設定手順表示エリア（６ａ）は、前記パラメータ設定表示エリア（６ｂ）に表示された項目のパラメータの設定が完了したとき、順次、設定順に並んでいる次の項目の内容の設定に移行することを特徴とする請求項５記載のパラメータ設定装置。
【請求項７】
前記設定手順表示エリア（６ａ）は、下位層が表示されていない前記複数の項目のうち前記パラメータ設定表示エリア（６ｂ）に表示中の項目の内容に対応した前記項目のその上位層の項目を認識可能に表示することを特徴とする請求項１乃至請求項６の何れかに記載のパラメータ設定装置。
【請求項８】
前記設定手順表示エリア（６ａ）は、表示された前記複数の項目のうちパラメータの設定が完了した前記項目を認識可能に表示することを特徴とする請求項１乃至請求項７の何れかに記載のパラメータ設定装置。
【請求項９】
前記設定手順表示エリア（６ａ）は、下位の階層の全ての項目が設定完了した上位の階層の項目を識別可能なように表示することを特徴とする請求項１乃至請求項８の何れかに記載のパラメータ設定装置。
【請求項１０】
前記設定手順表示エリア（６ａ）は、前記パラメータ設定表示エリア（６ｂ）のパラメータ設定画面で入力した項目の内容が他の項目のパラメータ設定に変更を与える場合、前記設定手順表示エリア（６ａ）に表示された項目のうち前記パラメータ設定の変更が与えられた項目を識別可能に表示することを特徴とする請求項１乃至請求項９の何れかに記載のパラメータ設定装置。
【請求項１１】
項目名又は項目の内容に含まれる文字を検索する機能を有し、検索した文字列を前記設定手順表示エリア（６ａ）又は現在表示中の前記パラメータ設定表示エリア（６ｂ）の少なくとも何れかで識別可能なように表示することを特徴とする請求項１０記載のパラメータ設定装置。
【請求項１２】
波形を発生させるためのデータを生成する波形データ生成装置に用いられ、通信システムの規格に合わせて設定順に並んだ複数の項目からなる設定手順の表示と、前記設定手順の中から選択された項目に対応する波形生成に必要なパラメータを生成するパラメータ設定装置。
【発明の詳細な説明】
【技術分野】
【０００１】
本発明は、任意の波形データを生成する波形データ生成装置に用いられ、この波形データ生成装置で任意の波形を生成させるためのパラメータを設定するパラメータ設定装置に係り、特に使用するシステムの規格に合わせて設定順に並んだ複数の設定項目と、選択された設定項目に対するパラメータ入力用のパラメータ設定画面とを同時に表示して全体感が把握できるパラメータ設定装置およびパラメータ設定プログラムを記憶したコンピュータ読み取り可能な記憶媒体に関するものである。
【背景技術】
【０００２】
ＰＣ等のコンピュータ上で操作し各種設定を行うソフトウェアにおいては、任意の設定についての利用用途が明確で、且つ、コンピュータ操作が不慣れな初心者でも容易に設定手順を理解することができるようなものである必要がある。このように、ソフトウェアの利用用途を明示し、操作手順を誘導する制御装置としては、例えば下記特許文献１に開示されるものが知られている。
【０００３】
この特許文献１に開示されるＧＵＩ（グラフィカルユーザインタフェース）制御装置は、ソフトウェアの利用用途を画面上にメニューで表示させ、用途が選択されると、あらかじめ登録された操作手順に従って、次に操作すべき部品を画面上で目立たせ、その手順を誘導する。そして、ソフトウェアの本来の画面を隠すカバー画面を表示させ、ソフトウェアの利用用途をそのカバー画面上にメニューで表示する。また、カバー画面上で操作が行われると、あらかじめ登録された部品対応に従って、カバー画面上で行われた操作と等価な操作を、ソフトウェアの本来の画面に対して実行する。
【０００４】
これにより、ＧＵＩを有するソフトウェアを変更することなく初心者ユーザであってもソフトウェアの利用を容易化しソフトウェアの用途を明示し、操作手順を誘導し、本来の画面とは別の画面上で操作可能とするものである。
【特許文献１】特開２００１−１９５１６５号公報
【発明の開示】
【発明が解決しようとする課題】
【０００５】
しかしながら、特許文献１に開示される制御装置は、多くのパラメータ設定項目がある場合や設定する項目が分岐して階層が深い場合において、現在設定している項目が全体の操作手順の中の何処に位置付けられた項目であるかを判断するのが困難であった。また、設定画面を一旦閉じてしまうと、今まで設定していた項目と他の項目との関連やこれまで設定していた順番などの判断がしづらいという問題があった。さらに、設定項目に抜けが生じた場合には、各設定項目に関する設定を最初からやり直したり、現在の設定から何回か後戻りをして抜けが生じた項目の設定をやり直す操作を伴い、希望する項目のみを即座に設定することができなかった。このため、特に操作が不慣れな初心者にとっては操作が煩雑化して取り扱いが面倒であり、設定時の操作性に欠けていた。
【０００６】
そこで、本発明は上記問題点に鑑みてなされたものであり、設定順に並んだ複数の設定項目と、選択された設定項目に対応して波形生成に必要なパラメータを入力するためのパラメータ設定画面とを同時に表示することにより、コンピュータや当該ソフトウェアの利用経験が少ない初心者ユーザであっても現在設定中のパラメータについての情報や全体の操作手順の中での位置付けも容易に確認することができ、操作性に優れたパラメータ設定装置を提供することを目的とするものである。
【課題を解決するための手段】
【０００７】
上記した目的を達成するために、請求項１に記載されたパラメータ設定装置は、波形を発生させるためのデータを生成する波形データ生成装置に用いるパラメータ設定装置１において、
所望の信号を生成するための設定手順が複数の項目からなり、該複数の項目を設定順に表示する設定手順表示エリア６ａと、
該設定手順表示エリア６ａに表示された各項目毎に対応して波形生成に必要なパラメータを表示するパラメータ設定表示エリア６ｂとを同時に有することを特徴とする。
【０００８】
請求項２に記載されたパラメータ設定装置は、請求項１のパラメータ設定装置において、
前記設定手順表示エリア６ａは、前記複数の項目を階層的に表示することを特徴とする。
【０００９】
請求項３に記載されたパラメータ設定装置は、請求項２のパラメータ設定装置において、
前記階層的な表示は、表示された設定手順の項目に対し下位の階層があることを識別可能に表示することを特徴とする。
【００１０】
請求項４に記載されたパラメータ設定装置は、請求項３のパラメータ設定装置において、
前記階層的な表示は、表示された設定手順の項目の識別箇所を選択することで下位の階層を表示することを特徴とする。
【００１１】
請求項５に記載されたパラメータ設定装置は、請求項１乃至請求項４の何れかのパラメータ設定装置において、
前記設定手順表示エリア６ａは、表示された前記複数の項目のうち前記パラメータ設定表示エリア６ｂに表示中の項目の内容に対応した項目を識別可能なように表示することを特徴とする。
【００１２】
請求項６に記載されたパラメータ設定装置は、請求項５のパラメータ設定装置において、
前記設定手順表示エリア６ａは、前記パラメータ設定表示エリア（６ｂ）に表示された項目のパラメータの設定が完了したとき、順次、設定順に並んでいる次の項目の内容の設定に移行することを特徴とする。
【００１３】
請求項７に記載されたパラメータ設定装置は、請求項１乃至請求項６の何れかのパラメータ設定装置において、
前記設定手順表示エリア６ａは、下位層が表示されていない前記複数の項目のうち前記パラメータ設定表示エリア６ｂに表示中の項目の内容に対応した前記項目のその上位層の項目を認識可能に表示することを特徴とする。
【００１４】
請求項８に記載されたパラメータ設定装置は、請求項１乃至請求項７の何れかのパラメータ設定装置において、
前記設定手順表示エリア６ａは、表示された前記複数の項目のうちパラメータの設定が完了した前記項目を認識可能に表示することを特徴とする。
【００１５】
請求項９に記載されたパラメータ設定装置は、請求項１乃至請求項８の何れかのパラメータ設定装置において、
前記設定手順表示エリア６ａは、下位の階層の全ての項目が設定完了した上位の階層の項目を識別可能なように表示することを特徴とする。
【００１６】
請求項１０に記載されたパラメータ設定装置は、請求項１乃至請求項９の何れかのパラメータ設定装置において、
前記設定手順表示エリア６ａは、前記パラメータ設定表示エリア６ｂのパラメータ設定画面で入力した項目の内容が他の項目のパラメータ設定に変更を与える場合、前記設定手順表示エリア６ａに表示された項目のうち前記パラメータ設定の変更が与えられた項目を識別可能に表示することを特徴とする。
【００１７】
請求項１１に記載されたパラメータ設定装置は、請求項１０のパラメータ設定装置において、
項目名又は項目の内容に含まれる文字を検索する機能を有し、検索した文字列を前記設定手順表示エリア６ａ又は現在表示中の前記パラメータ設定表示エリア６ｂの少なくとも何れかで識別可能なように表示することを特徴とする。
【００１８】
請求項１２に記載されたパラメータ設定装置は、波形を発生させるためのデータを生成する波形データ生成装置に用いられ、通信システムの規格に合わせて設定順に並んだ複数の項目からなる設定手順の表示と、前記設定手順の中から選択された項目に対応する波形生成に必要なパラメータを生成することを特徴とする。
【発明の効果】
【００１９】
以上説明したように本発明によれば、設定順に並んだ複数の設定項目と、選択された設定項目に対応して波形生成に必要なパラメータを入力するためのパラメータ設定画面とを一画面上に表示することにより、全体手順における現在の設定項目の内容の位置付けを容易に把握できるとともに、表示された設定手順に従って操作を行うことで簡単にパラメータの設定を行うことができる。
【００２０】
また、設定手順の全体感を一目で把握することができるので、所望のパラメータをその都度検索することなく過去に設定したパラメータの再設定や設定のやり直しを容易に行うことができる。
【００２１】
請求項１のパラメータ設定装置によれば、設定手順表示エリアとパラメータ設定表示エリアが同時に表示されるので、現在設定しているパラメータが全体の設定項目の中の何処に位置したパラメータであるかを容易に把握することができる。
【００２２】
請求項２のパラメータ設定装置によれば、設定手順が階層表示されているので、現在設定しているパラメータがどの項目の内容であるか確認することができる。
【００２３】
請求項３のパラメータ設定装置によれば、設定項目に下位の階層があるか否かが識別可能になる。
【００２４】
請求項４のパラメータ設定装置によれば、任意の識別箇所を選択するだけで簡単に階層表示することができる。
【００２５】
請求項５のパラメータ設定装置によれば、現在設定しているパラメータの項目がどの項目に関連しているかを確認することができる。
【００２６】
請求項６のパラメータ設定装置によれば、設定終了後、順次、設定順に並んでいる次の設定項目に移行するので、移行する手間が省け設定時間の短縮化を図ることができる。
【００２７】
請求項７のパラメータ設定装置によれば、設定中のパラメータに関連した項目が設定手順表示エリアに表示されていない状態でも、どの項目に関連しているかを確認することができる。
【００２８】
請求項８のパラメータ設定装置によれば、表示されている項目が以前に設定完了している項目であるか否かを容易に判断することができる。
【００２９】
請求項９のパラメータ設定装置によれば、上位の項目のみ表示されているとき下位のすべての設定が全て完了しているか否かを判断することができる。
【００３０】
請求項１０のパラメータ設定装置によれば、表示された項目が他の設定の際に内容変更している項目であるか否かを識別することができる。
【００３１】
請求項１１のパラメータ設定装置によれば、パラメータに含まれる文字を検索した文字列が何処に存在しているかが明確になる。
【発明を実施するための最良の形態】
【００３２】
以下、本発明に係るパラメータ設定装置の最良な実施の形態について図面を参照しながら具体的に説明する。図１は本発明に係るパラメータ設定装置の概略構成を示す機能ブロック図、図２は図１の詳細を示す機能ブロック図、図３〜図１２は本発明に係るパラメータ設定装置の設定画面の各表示例を示す図である。
【００３３】
本例のパラメータ設定装置は、任意の波形データを生成出力する波形生成装置に用いられ、使用するシステムの規格に合わせて設定順に並んだ複数の項目からなる設定手順を階層表示可能に表示するとともに、選択された設定手順の各項目毎に対応して波形生成に必要なパラメータを入力するためのパラメータ設定画面を同一画面上に表示するものである。
【００３４】
まず、本発明に係るパラメータ設定装置の構成について説明する。図１に示すように、本例のパラメータ設定装置１は、入力手段２、記憶手段３、設定情報生成手段４、表示制御手段５、表示手段６を備えて概略構成されている。
【００３５】
入力手段２は、例えばマウスやキーボードなどで構成される。この入力手段２は、各種通信システムの選択、後述する設定手順表示エリア６ａに表示された設定手順の項目選択、選択された設定手順の項目に関連して後述するパラメータ設定表示エリア６ｂに表示されたパラメータの選択や数値入力を行っている。このときの選択情報や入力情報は表示制御手段５に入力される。
【００３６】
記憶手段３は、パラメータ設定装置１を起動させて図３〜図１２に示すような各種表示を行うためのパラメータ設定プログラムやパラメータ設定に関する各種設定情報や項目内容などを記憶している。この記憶手段３は、図２に示すように、規格・システム記憶手段３ａ、設定手順記憶手段３ｂ、手順対応パラメータ記憶手段３ｃ、設定データ記憶手段３ｄ、リコールデータ記憶手段３ｅ、検索語記憶手段３ｆ、設定済情報記憶手段３ｇ、設定変更有手順記憶手段３ｈ、簡易入力項目記憶手段３ｉで構成されている。
【００３７】
規格・システム記憶手段３ａは、例えば１ｘＥＶ−ＤＯ等の所望の波形生成を行うための各種通信システムが記憶されている。ユーザが入力手段２により任意の通信システムを選択した場合は、選択された通信システムの情報を後述する設定手順生成手段４ａに出力している。
【００３８】
設定手順記憶手段３ｂは、通信システムの設定を行うための複数の項目からなる設定手順が各通信システムのパラメータ設定において最適な順番に（設定順に項目が並んで）記憶されている。
【００３９】
手順対応パラメータ記憶手段３ｃは、設定手順記憶手段３ｂに記憶されたパラメータ設定における設定手順の各項目に関連したパラメータが記憶されている。
【００４０】
設定データ記憶手段３ｄは、選択された通信システムの各設定手順の項目毎のパラメータ設定時に後述するパラメータ設定表示エリア６ｂ内で設定された各項目における設定データを逐次記憶している。
【００４１】
リコールデータ記憶手段３ｅは、後述するパラメータ設定表示エリア６ｂ内で設定されたパラメータ設定データの中の読み出し可能な設定データやデフォルト値が記憶されている。また、この記憶されたデータは、各通信システムや使用するユーザ毎に対応して記憶されており、例えば図４の設定手順表示エリア６ａに表示された「Ｒｅｃａｌｌ」キー（設定呼び出しキー６ｂｄ）を選択して読み出すことができる。
【００４２】
検索語記憶手段３ｆは、パラメータの存在する位置を検索する際の検索キーワード及び存在位置を記憶している。この検索語記憶手段３ｆは、入力手段２から入力された検索語句の検索情報に基づく表示制御手段５の制御により、選択された検索語句についての情報を設定手順記憶手段３ｂと手順対応パラメータ記憶手段３ｃにそれぞれ出力している。
【００４３】
設定済情報記憶手段３ｇは、後述するパラメータ設定表示生成手段４ｂから入力した設定済みパラメータの履歴情報を記憶している。この設定済情報記憶手段３ｇは、設定済みパラメータがある設定手順のプロセス中の該当する項目の文字を識別可能に表示するための表示情報を後述する設定手順生成手段４ａに出力している。
【００４４】
設定変更有手順記憶手段３ｈは、複数のパラメータ間の関連情報を記憶している。設定変更有手順記憶手段３ｈは、パラメータ設定表示生成手段４ｂから出力されたパラメータ変更情報と、予め記憶しているパラメータの関連情報を記憶する。このとき、変更したパラメータが一致した場合は、関連するパラメータのある設定手順の項目及びパラメータを識別可能に表示するための表示情報を後述する設定手順生成手段４ａに出力している。
【００４５】
簡易入力項目記憶手段３ｉは、選択された通信システムのパラメータ設定を簡易入力設定で行う場合に、例えばグレーアウト等にして入力不要または入力不可な状態にする項目が各通信システムの設定手順毎に記憶されている。
【００４６】
設定情報生成手段４は、パラメータ設定をする際の設定情報に基づき、表示手段６に表示する表示内容を表示内容情報として表示制御手段５に出力している。図２に示すように、設定情報生成手段４は、設定手順生成手段４ａ、パラメータ設定表示生成手段４ｂで構成されている。
【００４７】
設定手順生成手段４ａは、各通信システムに対応したパラメータ設定に関する設定手順の各項目を生成するため、規格・システム記憶手段３ａ、設定手順記憶手段３ｂ、リコールデータ記憶手段３ｅから各種情報を取得している。また、設定手順生成手段４ａは、生成する設定手順の項目のうち、以前にパラメータ設定が設定済みの場合は設定済情報記憶手段３ｇから表示情報を取得し、設定変更後である場合は設定変更有手順記憶手段３ｈから表示情報を取得している。そして、設定手順生成手段４ａは、取得した各種情報や表示情報をもとにして、入力手段２により選択されたシステムの規格に合った最適な設定手順を生成し、この生成された複数の項目からなる設定手順を設定手順情報として表示制御手段５に出力している。
【００４８】
パラメータ設定表示生成手段４ｂは、通信システムに対応したパラメータ設定内容に関する設定内容情報を手順対応パラメータ記憶手段３ｃ、設定データ記憶手段３ｄ、リコールデータ記憶手段３ｅからそれぞれ取得している。パラメータ設定表示生成手段４ｂは、取得したパラメータ情報をもとにして、入力手段２により選択された設定手順の各項目に対応して波形生成に必要なパラメータを生成し、パラメータ設定表示情報として表示制御手段５に出力している。また、パラメータ設定表示生成手段４ｂは、パラメータ設定を簡易入力設定で行う場合、簡易入力項目記憶手段３ｉから入力できないようにする項目の情報を取得し、入力不要または入力不可な状態で表示するための情報を表示制御手段５に出力している。さらに、パラメータ設定表示生成手段４ｂは、設定済みのパラメータ設定項目に関するパラメータ情報を設定済情報記憶手段３ｇに出力し、設定変更後のパラメータ設定項目に関するパラメータ情報を設定変更有手順記憶手段３ｈに出力している。
【００４９】
表示制御手段５は、設定手順生成手段４ａからの設定手順情報と、パラメータ設定表示生成手段４ｂからのパラメータ設定表示情報に基づき、選択された通信システムに応じた設定手順やパラメータなどの各種表示として、例えば図３〜図１２の表示を行うべく表示手段６の表示を制御している。
【００５０】
表示手段６は、図３に示すような左右に分割して並設された設定手順表示エリア６ａとパラメータ設定表示エリア６ｂとを有する。表示手段６は、表示制御手段５の制御により、例えば図３〜図１３に示すような各種表示内容を表示している。
【００５１】
次に、図２のブロック構成による本例のパラメータ設定装置１の基本動作について説明する。この基本動作において、規格・システム記憶手段３ａは規格システム名が選択可能な状態にあり、入力手段２によりシステム選択を行う。あるシステムが選択されると、その旨を表示制御手段５が設定手順生成手段４ａとパラメータ設定表示生成手段４ｂに伝える。選択されたシステムの設定手順を設定手順記憶手段３ｂから読み出すよう設定手順生成手段４ａから命令を送り、受け取った情報を表示制御手段５に伝える。また、選択されたシステムに関連したパラメータを読み出すようパラメータ設定表示生成手段４ｂから命令を送る。これにより、表示制御手段５は、設定手順生成手段４ａで生成された複数の項目からなる設定手順を設定手順表示エリア６ａに表示するとともに、選択された設定手順の項目に関するパラメータ設定画面をパラメータ設定表示エリア６ｂに表示する。
【００５２】
また、応用動作として、以下に説明する各種表示制御を行っている。まず、設定を行ったパラメータに関しては、設定済みの情報を設定済情報記憶手段３ｇに格納し、そのパラメータのある設定手順生成手段４ａ中の項目を識別可能に表示する。例えば該当する項目の文字を目立つ色で表示する。
【００５３】
また、設定変更有情報記憶手段３ｈに互いに関連のあるパラメータを格納しておき、あるパラメータを変更したとき、設定変更有情報記憶手段３ｈにあるパラメータか否かの照合を行う。
【００５４】
そして、変更したパラメータが設定変更有情報記憶手段３ｈにある場合には、関連するパラメータのある設定手順生成手段４ａ中の項目を識別可能に表示する。例えば該当する項目の文字を目立つ色で表示する。
【００５５】
また、変更可能なパラメータを限定する場合は、パラメータ設定表示生成手段４ｂに簡易入力の選択を行い、マスクするべきパラメータを簡易入力項目記憶手段３ｉから読み出し、パラメータ設定表示生成手段４ｂに伝え、パラメータを表示させない。
【００５６】
さらに、選択されている設定手順生成手段４ａ中の項目に関連付けられたパラメータの設定値を既存のファイルから読み出す場合は、リコールデータ記憶手段３ｅから読み出しを行う。また、選択されている設定手順生成手段４ａ中の項目に関連付けられたパラメータの設定値のファイルを新規に作成または保存する場合は、リコールデータ記憶手段３ｅに書き込みを行う。選択されているシステムに関連付けられたパラメータを既存のファイルから読み出しを行う場合は、リコールデータ記憶手段３ｅから読み出しを行う。また、選択されているシステムに関連付けられたパラメータのファイルを新規に作成または保存する場合は、リコールデータ記憶手段３ｅに書き込みを行う。
【００５７】
検索機能を使用する場合は、入力手段２により検索語を選択し、そのパラメータと関連のある設定手順生成手段４ａ中の項目を識別可能に表示する。例えば該当する項目の文字を目立つ色で表示する。また、その項目と関連付けられたパラメータをパラメータ設定表示生成手段４ｂに伝えて表示する。
【００５８】
次に、所望のシステムのパラメータ設定を行う際に、各種表示制御を行う本例のパラメータ設定装置１の表示動作について、図３〜図１２の各種表示を例にとって説明する。図３は本例のパラメータ設定装置１の表示手段６に表示された初期画面の一例である。表示手段６の表示画面には複数の操作キー６ｄが上端部に横一列に整列配置して表示されるとともに、選択された通信システムの最適な設定手順が表示された設定手順表示エリア６ａと、設定手順表示エリア６ａに表示された設定項目のうち任意の項目を選択した際に選択した項目の内容が表示されるパラメータ設定表示エリア６ｂとが関連付けて一画面上に並列表示される。このパラメータ設定表示エリア６ｂに表示される項目の内容は、設定手順表示エリア６ａに表示された設定項目のうちの１つの項目が選択されるたびに同時に更新表示される。
【００５９】
また、設定手順表示エリア６ａとパラメータ設定表示エリア６ｂが並列表示された下部には、設定変更が行われた場合に変更内容等の情報が通知される設定変更通知エリア６ｃが表示されている。
【００６０】
まず、設定手順表示エリア６ａについて説明する。例えば図３に示すように、設定手順表示エリア６ａ上に表示される内容は、選択した通信システムのパラメータ設定手順における１つ項目を示す設定項目、各設定項目の階層の有無を識別表示するための十字バー６ａａ、パラメータ設定の際に設定した全設定値を保存する全設定保存キー６ａｂ、各通信システムのパラメータ毎に保存された過去の設定内容を読み出す設定読み出しキー６ａｃである。
【００６１】
なお、本例のパラメータ設定装置１の設定手順表示エリア６ａに表示される設定手順は、初期表示状態において最上位の階層の設定手順のみが表示されるようになっている。
【００６２】
設定項目は、選択された通信システムの規格に合わせて設定順に表示されており、設定手順表示エリア６ａの上部から順に並んで表示される。また、設定項目に階層がある場合、通常は最上位階層である設定項目を表示し、下位階層を表示する際には最上位の設定項目を選択することにより下位階層が表示される。また、階層がある設定項目にはそれぞれ十字バー６ａａを有し、この十字バー６ａａを選択するとで最上位階層である設定項目を選択しなくとも下位の階層を表示することもできる。
【００６３】
なお、本例では、階層表示させるための十字バー６ａａが十字の形状を成して表示されている例で説明したが、これに限定されることはなく、階層の有無が識別可能であればどのような形状を成していてもよい。
【００６４】
パラメータ設定表示エリア６ｂは、例えば図４に示すように、設定手順表示エリア６ａ内に表示された複数の設定項目の中から一つの設定項目を選択すると、その選択された設定項目に対応した設定内容を表示する。そして、このパラメータ設定表示エリア６ｂに表示された内容に沿って設定を行っていくことで任意のパラメータ内容を設定することができる。また、パラメータ設定表示エリア６ｂの下部には、表示中の設定が完了したときに押下する決定キー６ｂａ、設定内容や設定項目のキャンセルを行うキャンセルキー６ｂｂ、パラメータ設定表示エリア内で設定した内容を保存する保存キー６ｂｃ、予め記憶されたリコールデータやデフォルト値を呼び出すための設定呼び出しキー６ｂｄが配置されている。
【００６５】
また、上記２つの表示画面に表示される項目やパラメータ内容などの情報が一画面内に納まらず表示エリアが複数画面にまたがる場合は、例えば図４に示す設定手順表示エリア６ａの右端側にスクロールバー６ｅを表示し、表示エリアを上下方向に移動させることで全表示内容を閲覧できるようになる。なお、表示する内容量により設定情報生成手段４が自動的にスクロールバー６ｅの表示を行うための表示情報を表示制御手段５に出力している。また、上述した設定手順表示エリア６ａのみでなく、パラメータ設定表示エリア６ｂについても、表示エリアが複数画面にまたがる場合は、その表示する内容量に応じて自動的にスクロールバーが表示される。
【００６６】
設定変更通知エリア６ｃは、パラメータ設定表示エリア６ｂ内で前回の設定内容から変更若しくは新しく内容が追加されたことを示すメッセージが表示される。例えば図７に示すように、「“ＭＡＣ  Ｉｎｄｅｘ  ｆｏｒ  Ｔｒａｆｆｉｃ  Ｃｈａｎｎｅｌ”  ｗａｓ  ｃｈａｎｇｅｄ．」と表示し、設定内容が変更されたことを通知する。
【００６７】
次に、上記構成によるパラメータ設定装置１の具体的な設定例について図４〜図１３を参照しながら説明する。なお、ここでは、通信システムとして「１ｘＥＶ−ＤＯ」を選択し、「Ｃａｒｒｉｅｒ  Ｅｄｉｔ」（キャリア関連の設定）、「Ｇｅｎｅｒａｌ  Ｐａｒａｍｅｔｅｒ  Ｅｄｉｔ」（一般的な設定）、「Ｇｅｎｅｒａｔｅ  Ｗａｖｅｆｏｒｍ」（波形生成）の順に設定・操作をしてパラメータの設定を行うものとする。
【００６８】
図４に示すように、設定手順表示エリア６ａには、第一の設定項目として「Ｃａｒｒｉｅｒ  Ｅｄｉｔ」、第二の設定項目として「Ｇｅｎｅｒａｌ  Ｐａｒａｍｅｔｅｒ  Ｅｄｉｔ」、第三の設定項目として「Ｇｅｎｅｒａｔｅ  Ｗａｖｅｆｏｒｍ」が設定順に上から並んで表示される。また、「Ｃａｒｒｉｅｒ  Ｅｄｉｔ」、「Ｇｅｎｅｒａｌ  Ｐａｒａｍｅｔｅｒ  Ｅｄｉｔ」、「Ｇｅｎｅｒａｔｅ  Ｗａｖｅｆｏｒｍ」はそれぞれ下位階層を有しており、入力手段２を用いて設定項目又は設定項目に並列して表示されている十字バー６ａａを選択することで下位階層が表示される。
【００６９】
例えば「Ｃａｒｒｉｅｒ  Ｅｄｉｔ」の次の手順が「Ｍｕｌｔｉ  Ｃａｒｒｉｅｒ  Ｓｅｌｅｃｔ」で、その次の手順が「Ｃａｒｒｉｅｒ  Ｐａｒａｍｅｔｅｒ  Ｅｄｉｔ」であるので、「Ｃａｒｒｉｅｒ  Ｅｄｉｔ」を選択すると、「Ｃａｒｒｉｅｒ  Ｅｄｉｔ」の下位階層にある設定項目「Ｍｕｌｔｉ  Ｃａｒｒｉｅｒ  Ｓｅｌｅｃｔ」と「Ｃａｒｒｉｅｒ  Ｐａｒａｍｅｔｅｒ  Ｅｄｉｔ」が上から設定順に表示される。
【００７０】
そして、「Ｍｕｌｔｉ  Ｃａｒｒｉｅｒ  Ｓｅｌｅｃｔ」を選択すると、パラメータ設定表示エリア６ｂに「Ｍｕｌｔｉ  Ｃａｒｒｉｅｒ  Ｓｅｌｅｃｔ」の設定項目の内容が表示される。このとき、選択された「Ｍｕｌｔｉ  Ｃａｒｒｉｅｒ  Ｓｅｌｅｃｔ」の項目を例えば色分け、点滅表示、文字形態の変更など識別可能な状態（本例では設定項目を太字で表記する）にして表示する。
【００７１】
この状態で、「Ｍｕｌｔｉ  Ｃａｒｒｉｅｒ  Ｓｅｌｅｃｔ」の項目、すなわち、マルチキャリアの構成に関する設定を行う。図４に示すように、パラメータ設定表示エリア６ｂに表示されている設定内容である「Ｃａｒｒｉｅｒ１」から「Ｃａｒｒｉｅｒ４」までをＯｎ、「Ｃａｒｒｉｅｒ５」から「Ｃａｒｒｉｅｒ９」をＯｆｆにする。そして、画面上の決定キー６ｂａを選択すると、本画面の設定が終了する。
【００７２】
なお、図５に示すように、初期画面のときに予め操作キー６ｄを操作し「Ｐａｇｅ  Ｔｒａｎｓｉｔｉｏｎ」の設定においてＡｕｔｏモードを選択している場合は、パラメータ設定表示エリア６ｂから決定キー６ｂａを選択することにより次の設定項目が自動選択され、設定手順表示エリア６ａの選択された設定項目が識別可能な状態で表示されるとともに、パラメータ設定表示エリア６ｂに選択された設定項目の内容が表示される。
【００７３】
例えば予め「Ｐａｇｅ  Ｔｒａｎｓｉｔｉｏｎ」モードがＡｕｔｏに設定されているときには、画面上の決定キー６ｂａを選択すると、次の手順「Ｃａｒｒｉｅｒ  Ｐａｒａｍｅｔｅｒ  Ｅｄｉｔ」の下位階層である「ＴＣＨ」に自動的に移行する。
【００７４】
また、Ａｕｔｏモードが選択されている場合は、設定手順表示エリア６ａの各項目の階層は展開しないで、操作中のパラメータ設定表示エリア６ｂと関連付けられた設定手順表示エリア６ａ中の項目の最上位層の項目が識別可能に表示される。例えば図５に示すように、現在が「Ｍｕｌｔｉ  Ｃａｒｒｉｅｒ  Ｓｅｌｅｃｔ」の入力中であれば、その最上位階層である「Ｃａｒｒｉｅｒ  Ｅｄｉｔ」が識別可能（例えば太字）に表示される。
【００７５】
「Ｍｕｌｔｉ  Ｃａｒｒｉｅｒ  Ｓｅｌｅｃｔ」の設定が完了した後、図６に示すように、次の設定である「Ｃａｒｒｉｅｒ  Ｐａｒａｍｅｔｅｒ  Ｅｄｉｔ」を設定手順表示エリア６ａで選択すると、下位階層の設定項目である「ＴＣＨ」、「ＲＰＣ／ＲＡ  ＣＨ」が設定順に上から並んで表示される。「Ｃａｒｒｉｅｒ  Ｐａｒａｍｅｔｅｒ  Ｅｄｉｔ」の下位階層にある「ＴＣＨ」を選択すると、「ＴＣＨ」の設定内容がパラメータ設定表示エリア６ｂに表示されるとともに、選択した設定項目が識別可能な状態で表示される。このとき、既に設定が完了している「Ｍｕｌｔｉ  Ｃａｒｒｉｅｒ  Ｓｅｌｅｃｔ」の表示が例えば色分け、点滅表示、文字形態の変更など識別可能の状態（本例では斜体字）で表示される。なお、既に設定が完了した設定項目と、これから設定を行う設定項目とは、同一形態または別形態で識別可能に表示することもできる。
【００７６】
「ＴＣＨ」の設定が完了した後、図７に示すように、次の設定である「ＲＰＣ／ＲＡ  ＣＨ」について設定を行う。設定手順表示エリア６ａに表示された「ＲＰＣ／ＲＡ  ＣＨ」を選択すると、「ＲＰＣ／ＲＡ  ＣＨ」の設定内容がパラメータ設定表示エリア６ｂに表示されるとともに、設定手順表示エリア６ａに表示された設定項目が識別可能な状態で表示される。このとき、既に設定が完了している「Ｍｕｌｔｉ  Ｃａｒｒｉｅｒ  Ｓｅｌｅｃｔ」、「ＴＣＨ」が識別可能の状態で表示される。
【００７７】
また、この設定が完了すると、「Ｃａｒｒｉｅｒ  Ｐａｒａｍｅｔｅｒ  Ｅｄｉｔ」の設定が完了するとともに、「Ｍｕｌｔｉ  Ｃａｒｒｉｅｒ  Ｓｅｌｅｃｔ」、「Ｃａｒｒｉｅｒ  Ｅｄｉｔ」の最上位階層である「Ｃａｒｒｉｅｒ  Ｅｄｉｔ」の設定が完了したことになり、「Ｃａｒｒｉｅｒ  Ｅｄｉｔ」が識別可能な状態で表示される。
【００７８】
そして、図８〜図１１に示すように、「Ｇｅｎｅｒａｌ  Ｐａｒａｍｅｔｅｒ  Ｅｄｉｔ」、「Ｇｅｎｅｒａｔｅ  Ｗａｖｅｆｏｒｍ」における各下位階層の項目についてもそれぞれ設定を行い、通信システム「１ｘＥＶ−ＤＯ」におけるパラメータ設定の操作を終了する。
【００７９】
なお、「Ｇｅｎｅｒａｌ  Ｐａｒａｍｅｔｅｒ  Ｅｄｉｔ」、「Ｇｅｎｅｒａｔｅ  Ｗａｖｅｆｏｒｍ」の各設定項目の表示方法は、上述した「Ｃａｒｒｉｅｒ  Ｅｄｉｔ」の表示方法と同様に、選択中の項目や設定完了済の項目についてはそれぞれ識別可能な状態で表示される。
【００８０】
ところで、上記設定操作は設定手順表示エリア６ａに表示された設定手順の項目の並び順に従って行うと効率良いが、任意の設定手順の項目を選択し、その項目と関連のあるパラメータの設定を行うこともできる。例えば図８に示すように、設定手順表示エリア６ａの「Ｃｏｍｍｏｎ  Ｓｅｔｔｉｎｇ」を選択すると、パラメータ設定表示エリア６ｂには「Ｃｏｍｍｏｎ  Ｓｅｔｔｉｎｇ」と関連付けられたパラメータが表示される。
【００８１】
任意の設定手順を選択して設定する場合、あるパラメータの変更が他のパラメータへ影響を与えることがある。このため、そのパラメータと関連付けられた手順を識別可能（例えば色を変える）に表示する。また、同時に影響を受けて変更されたパラメータを設定変更通知エリア６ｃに表示する。例えば図７に示すように、「ＭＡＣ  Ｉｎｄｅｘ４  ＲＡ  Ｂｉｔ」の変更に連動して「ＴＣＨ」中の「ＭＡＣ  Ｉｎｄｅｘ  ｆｏｒ  Ｔｒａｆｆｉｃ  Ｃｈａｎｎｅｌ」が変更したとする。そのときは「ＴＣＨ」が識別可能（例えば文字の色を変える）に表示され、設定変更通知エリア６ｃに「“ＭＡＣ  Ｉｎｄｅｘ  ｆｏｒ  Ｔｒａｆｆｉｃ  Ｃｈａｎｎｅｌ”  ｗａｓ  ｃｈａｎｇｅｄ．」のメッセージが表示される。
【００８２】
また、上記設定項目の内容によっては、設定の必要がない項目若しくは設定不能な項目がある。このような場合は、図１２に示すように、所定の項目をグレーアウト（図中ではハッチングで覆われている部分）して必要な項目とそうでない項目とを識別可能にしている。また、本例のようなパラメータ設定が不慣れな初心者ユーザの場合は、表示画面上の操作キー６ｄから「Ｐａｒａｍｅｔｅｒ  Ｅｄｉｔ」を表示させて「Ｌｉｍｉｔｅｄ」に設定し、簡易設定入力を可能にしている。簡易設定入力で設定を行う場合は、入力できない項目や入力する必要のない項目はグレーアウトされる。
【００８３】
さらに、このような通信システムの設定について知識が少ない初心者であるユーザがパラメータ設定を行う場合には、設定したいパラメータ項目のある場所を探すのに手間と時間を要する。この問題を解消するため、本例のパラメータ設定装置１は検索機能を有している。この検索機能では、表示画面上の操作キー６ｄより検索機能を選択し、検索語を入力または選択することで、検索語と関連した設定手順を識別可能に設定手順表示エリア６ａに表示する。さらに、この手順と関連付けられた設定内容をパラメータ設定表示エリア６ｂに表示する。
【００８４】
また、複数のユーザが本例のパラメータ設定装置を使用する場合には、ユーザ毎にデフォルト設定を保存／読み出しする構成としても良い。そして、設定の一部を繰り返し変更したい場合には、設定を保存→読み出して一部の項目を変更→波形生成→読み出しの手順が有効となる。これらの処理を行う場合には、保存キー６ｂｃや設定呼び出しキー６ｂｄが用いられる。この保存キー６ｂｃや設定呼び出しキー６ｂｄは、システム全体に対して用いたり、各設定手順毎に用いることができる。
【００８５】
ところで、上述したパラメータ設定装置１による表示処理は、コンピュータ読み取り可能な記憶媒体に記憶したパラメータ設定プログラムにより実行することもできる。この記憶媒体としては、光磁気ディスク、光ディスク、半導体メモリ、磁気記録媒体等を用いることができる。そして、パラメータ設定プログラムをＲＯＭ、ＲＡＭ、ＣＤ−ＲＯＭ、フロッピー（登録商標）ディスク、メモリカード等に記憶させて使用できる。
【００８６】
また、記憶媒体としては、インターネット等のネットワークや電話回線等の通信回線を介してパラメータ設定プログラムが送信された場合のサーバやクライアントとなるコンピュータシステム内部のＲＡＭ等の揮発性メモリのような一定時間プログラムを保持するものも含む。また、上記パラメータ設定プログラムは、このプログラムを記憶装置等に格納したコンピュータシステムから伝送媒体を介して、または伝送媒体中の伝送波により他のコンピュータシステムに伝送されるものであってもよい。なお、伝送媒体は、インターネット等のネットワークや電話回線等の通信回線のように情報を伝送する機能を有する媒体を意味する。
【００８７】
さらに、パラメータ設定プログラムは、前述した表示処理の一部を実行するものであってもよい。また、前述した表示処理をコンピュータシステムに既に記録されているプログラムと組み合わせ実現する差分プログラムとして用いることもできる。
【００８８】
このように、本例のパラメータ設定装置では、通信システムを選択すると、通信システムの規格に合わせて並んだ設定順に複数の項目からなる設定手順が設定手順表示エリア６ａに表示されるとともに、設定手順表示エリア６ａ上で選択された設定手順の項目に関連するパラメータを入力するためのパラメータ設定画面がパラメータ設定表示エリア６ｂに表示される。そして、パラメータ設定表示エリア６ｂに表示された各項目の内容に沿って設定を行うときは、選択中や設定済の項目がある設定項目の表示が識別可能な状態になる。これにより、設定が不慣れな初心者ユーザでも容易に設定手順を認識することができる。
【００８９】
また、設定手順表示エリア６ａに設定手順全体が階層表示されるので、設定手順全体の中から設定している項目の位置付けが容易に把握でき、設定抜けが生じても、その都度検索することなく簡単に後戻りして設定をやり直したり最初から再設定を行うことができる。
【００９０】
ところで、上述したパラメータ設定装置の表示画面が並列して表示されている例を用いて説明したが、これに限定されることはなく、例えば２つの表示エリア（設定手順表示エリア６ａ、パラメータ設定表示エリア６ｂ）を上下に配置して表示するなど設定手順表示エリア６ａとパラメータ設定表示エリア６ｂが同時に表示される構成であればどのように配置して表示してもよい。
【００９１】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００９２】
【図１】本発明に係るパラメータ設定装置の概略構成を示す機能ブロック図である。
【図２】図１の詳細を示す機能ブロック図である。
【図３】本発明に係るパラメータ設定装置の初期画面の画面表示例である。
【図４】本発明に係るパラメータ設定装置の任意の設定項目を選択表示したときの画面表示例である。
【図５】本発明に係るパラメータ設定装置のパラメータ設定表示エリア６ｂから次の設定項目に移行するための設定をしたときの画面表示例である。
【図６】図４で選択した項目の次の設定項目を選択表示したときの画面表示例である。
【図７】本発明に係るパラメータ設定装置において第一の項目の設定が完了したことを表示しているときの画面表示例である。
【図８】本発明に係るパラメータ設定装置において第二の設定項目を選択しているときの画面表示例である。
【図９】本発明に係るパラメータ設定装置において第二の設定項目を選択しているときの画面表示例である。
【図１０】図８で選択した設定項目の次の項目を選択しているときの画面表示例である。
【図１１】本発明に係るパラメータ設定装置において第三の設定項目を選択しているときの画面表示例である。
【図１２】本発明に係るパラメータ設定装置において簡易入力で設定を行っているときの画面表示例である。
【符号の説明】
【００９３】
１  パラメータ設定装置
２  入力手段
３  記憶手段
３ａ  規格・システム記憶手段
３ｂ  設定手順記憶手段
３ｃ  手順対応パラメータ記憶手段
３ｄ  設定データ記憶手段
３ｅ  リコールデータ記憶手段
３ｆ  検索語記憶手段
３ｇ  設定済情報記憶手段
３ｈ  設定変更有手順記憶手段
３ｉ  簡易入力項目記憶手段
４  設定情報生成手段
４ａ  設定手順生成手段
４ｂ  パラメータ設定表示生成手段
５  表示制御手段
６  表示手段
６ａ  設定手順表示エリア
６ａａ  十字バー
６ａｂ  全設定保存キー
６ａｃ  設定読み出しキー
６ｂ  パラメータ設定表示エリア
６ｂａ  決定キー
６ｂｂ  キャンセルキー
６ｂｃ  保存キー
６ｂｄ  設定呼び出しキー
６ｃ  設定変更通知エリア
６ｄ  操作キー
６ｅ  スクロールバー
【図１】
2006011733.tif 000003
【図２】
2006011733.tif 000004
【図３】
2006011733.tif 000005
【図４】
2006011733.tif 000006
【図５】
2006011733.tif 000007
【図６】
2006011733.tif 000008
【図７】
2006011733.tif 000009
【図８】
2006011733.tif 000010
【図９】
2006011733.tif 000011
【図１０】
2006011733.tif 000012
【図１１】
2006011733.tif 000013
【図１２】
2006011733.tif 000014